(57)【要約】【課題】  無線ＩＣタグなどのＩＣタグが、質問器から送信される質問用の信号に応じた信号を返信すること。【解決手段】  複数のＲＦＩＤタグ３０と、質問器である携帯電話１０と、を含む情報処理システム１において、携帯電話１０は、前記各ＩＣタグから情報を読み出すための質問信号を、前記各ＩＣタグに対し送信し、該質問信号を受信した各ＲＦＩＤタグ３０は、該質問信号に応じて、記憶している位置情報を携帯電話１０に対して伝達し、携帯電話１０は、伝達された位置情報のうち少なくとも１つの位置情報を含む特定質問信号を送信し、該特定質問信号を受信した前記各ＩＣタグは、該特定質問信号に含まれる位置情報と、記憶している位置情報と、が一致するか否かを判断し、該特定質問信号と判断結果に応じて複数の記憶領域のうちの少なくとも１つに含まれる情報を前記質問器に対して伝達することを特徴とする。【選択図】      図１
2006126963.tif 000002
【特許請求の範囲】
【請求項１】
複数のＩＣタグと、少なくとも１つの質問器と、を含む情報処理システムにおいて、
前記質問器は、
前記各ＩＣタグから情報を読み出すための質問信号を、前記各ＩＣタグに対し送信する質問信号送信手段と、
前記各ＩＣタグからそれぞれ伝達される情報に含まれる位置情報に応じて、該位置情報のうち少なくとも１つの位置情報を含む特定質問信号を送信する特定質問信号送信手段と、
を含み、
前記各ＩＣタグは、
当該ＩＣタグの付される位置に関する位置情報を記憶する位置情報記憶手段と、
前記質問器から送信される質問信号に応じて、前記位置情報を前記質問器に対して伝達する位置情報伝達手段と、
前記特定質問信号に含まれる位置情報と、前記記憶される位置情報と、が一致するか否かを判断する判断手段と、
複数の情報を、複数の記憶領域にそれぞれ記憶する情報記憶手段と、
前記質問器から送信される特定質問信号に応じて、前記複数の記憶領域のうち、少なくとも１つを選択する領域選択手段と、
前記判断手段の判断結果が一致することを示す場合に、前記選択される記憶領域に含まれる情報を前記質問器に対して伝達する情報伝達手段と、
を含む、
ことを特徴とする情報処理システム。
【請求項２】
請求項１に記載の情報処理システムにおいて、
前記ＩＣタグは、
前記情報記憶手段が、前記質問器から送信される情報に含まれる所定の識別情報ごとの記憶領域に、該所定の識別情報ごとの前記情報を記憶し、
前記領域選択手段が、前記所定の識別情報に対応する前記記憶領域を選択する、
ことを特徴とする情報処理システム。
【請求項３】
請求項１又は２に記載の情報処理システムにおいて、
前記ＩＣタグは、
乱数を発生する乱数発生手段、
をさらに含み、
前記情報伝達手段は、前記乱数に応じて前記情報それぞれの伝達タイミングを異ならせる、
ことを特徴とする情報処理システム。
【請求項４】
書籍の所定ページに付される複数のＩＣタグからそれぞれ伝達される情報に含まれる、当該所定ページを示す位置情報に応じて、該位置情報のうち少なくとも１つの位置情報を含む特定質問信号を送信する特定質問信号送信手段、
を含み、
前記特定質問信号送信手段は、
前記各ＩＣタグからそれぞれ伝達される前記位置情報に、前記書籍の最初のページであることを示す位置情報が含まれる場合には、該伝達された位置情報のうち、最もページ数が大きいことを示す位置情報を含む前記特定質問信号を送信し、
前記各ＩＣタグからそれぞれ伝達される前記位置情報に、前記書籍の最後のページであることを示す位置情報が含まれる場合には、該伝達された位置情報のうち、最もページ数が小さいことを示す位置情報を含む前記特定質問信号を送信する、
ことを特徴とする質問器。
【請求項５】
請求項４に記載の質問器において、
複数のキーにおいてキー入力を受け付けるキー入力受付手段と、
前記各キーのそれぞれにキーコードを割り当てるキーコード割当手段と、
前記ＩＣタグから伝達される情報に前記キーコードを含むキー操作情報が含まれる場合に、前記キー入力受付手段において、該キー操作情報に含まれるキーコードに応じたキー入力を行うキー入力制御手段と、
をさらに含むことを特徴とする質問器。
【請求項６】
複数のＩＣタグと、少なくとも１つの質問器と、を含む情報処理システムにおいて、
前記質問器において、
前記各ＩＣタグから情報を読み出すための質問信号を、前記各ＩＣタグに対し送信する質問信号送信ステップと、
前記各ＩＣタグからそれぞれ伝達される情報に含まれる位置情報に応じて、該位置情報のうち少なくとも１つの位置情報を含む特定質問信号を送信する特定質問信号送信ステップと、
を含み、
前記各ＩＣタグにおいて、
前記質問器から送信される質問信号に応じて、当該ＩＣタグの付される位置に関する位置情報を前記質問器に対して伝達する位置情報伝達ステップと、
前記特定質問信号に含まれる位置情報と、前記記憶される位置情報と、が一致するか否かを判断する判断ステップと、
複数の情報を、複数の記憶領域にそれぞれ記憶する情報記憶ステップと、
前記質問器から送信される特定質問信号に応じて、前記複数の記憶領域のうち、少なくとも１つを選択する領域選択ステップと、
前記判断ステップにおける判断結果が一致することを示す場合に、前記選択される記憶領域に含まれる情報を前記質問器に対して伝達する情報伝達ステップと、
を含む、
ことを特徴とするＩＣタグ読取方法。
【発明の詳細な説明】
【技術分野】
【０００１】
本発明は情報処理システム、ＩＣタグ及びＩＣタグ読取方法に関する。
【背景技術】
【０００２】
近年、ユビキタス社会の到来が叫ばれ、ユビキタスに関する様々な技術が提案されている。なかでもＲＦＩＤ(Radio Frequency IDentification)については、無線ＩＣタグ本体が非常に小さく、また安価に製造できるようになったため、種々の物に貼付することができ、貼り付けた物を管理するために非常に便利であることから、色々な側面において新技術や新サービスの開発がなされている。
【０００３】
そのうちのひとつとして、ＲＦＩＤシステムにおける質問器に双方向通信機能を持たせることにより、携帯電話などの通信ネットワーク上の情報処理装置からＲＦＩＤシステムにおける無線ＩＣタグの情報を容易に読み出すことを可能にした技術が特許文献１に記載されている。
【特許文献１】特開２００２−３５３８５２号公報
【発明の開示】
【発明が解決しようとする課題】
【０００４】
上記従来の技術では、無線ＩＣタグは、自身が記憶している情報に基づいて質問器から送信される電波を変調している。このため質問器或いは質問器経由で無線ＩＣタグの情報を読み取ろうとする情報処理装置（以下、該質問器及び該情報処理装置の双方を含めて「質問器」と称する）は、無線ＩＣタグの有する情報が何を意味しているのかについて認識しておく必要があり、例えば複数種類の質問器が同一の無線ＩＣタグから情報を読み取る場合において、それぞれの質問器にとって必要な情報のみを読み取るということはできなかった。
【０００５】
本発明は、上記課題を解決するためになされたもので、その目的の一つは、無線ＩＣタグなどのＩＣタグが、質問器から送信される質問用の信号に応じた信号を返信することを可能にする情報処理システム、ＩＣタグ及びＩＣタグ読取方法を提供することにある。
【課題を解決するための手段】
【０００６】
上記課題を解決するための情報処理システムは、複数のＩＣタグと、少なくとも１つの質問器と、を含む情報処理システムにおいて、前記質問器は、前記各ＩＣタグから情報を読み出すための質問信号を、前記各ＩＣタグに対し送信する質問信号送信手段と、前記各ＩＣタグからそれぞれ伝達される情報に含まれる位置情報に応じて、該位置情報のうち少なくとも１つの位置情報を含む特定質問信号を送信する特定質問信号送信手段と、を含み、前記各ＩＣタグは、当該ＩＣタグの付される位置に関する位置情報を記憶する位置情報記憶手段と、前記質問器から送信される質問信号に応じて、前記位置情報を前記質問器に対して伝達する位置情報伝達手段と、前記特定質問信号に含まれる位置情報と、前記記憶される位置情報と、が一致するか否かを判断する判断手段と、複数の情報を、複数の記憶領域にそれぞれ記憶する情報記憶手段と、前記質問器から送信される特定質問信号に応じて、前記複数の記憶領域のうち、少なくとも１つを選択する領域選択手段と、前記判断手段の判断結果が一致することを示す場合に、前記選択される記憶領域に含まれる情報を前記質問器に対して伝達する情報伝達手段と、を含む、ことを特徴とする。
【０００７】
このようにすることにより、ＩＣタグは、質問器から送信される質問用の信号に応じた信号を返信することが可能となり、また、該ＩＣタグの付される位置に関する位置情報に応じて質問器に対して情報を伝達するか否かを決定することができる。さらに、ＩＣタグは、質問器から送信される質問用の信号に含まれる位置情報に応じて、該位置情報が記憶している位置情報と一致する場合にのみ、情報を伝達することができる。なお、ここでの情報の伝達とは、例えばＩＣタグが無線送信手段を有する場合には無線信号の送受信による伝達であり、電磁誘導方式である場合には、質問器から送信される電磁波が引き起こす電磁誘導によって発生する電磁場を、ＩＣタグに記憶される情報に応じて変調することによる伝達を指す。
【０００８】
また、上記情報処理システムにおいて、前記ＩＣタグは、前記情報記憶手段が、前記質問器から送信される情報に含まれる所定の識別情報ごとの記憶領域に、該所定の識別情報ごとの前記情報を記憶し、前記領域選択手段が、前記所定の識別情報に対応する前記記憶領域を選択する、こととしてもよい。このようにすれば、ＩＣタグは、質問器から送信される質問用の信号に含まれる所定の識別情報に応じて、該所定の識別情報に対応する前記記憶領域を選択して、該領域に記憶される情報を伝達することができる。
【０００９】
また、上記情報処理システムにおいて、前記ＩＣタグは、乱数を発生する乱数発生手段、をさらに含み、前記情報伝達手段は、前記乱数に応じて前記情報それぞれの伝達タイミングを異ならせる、こととしてもよい。このようにすれば、情報の伝達タイミングを、ＩＣタグごとに異ならせることができる。
【００１０】
また、本発明に係る質問器は、それぞれ書籍の所定ページに付される複数のＩＣタグからそれぞれ伝達される情報に含まれる、当該所定ページを示す位置情報に応じて、該位置情報のうち少なくとも１つの位置情報を含む特定質問信号を送信する特定質問信号送信手段、を含み、前記特定質問信号送信手段は、前記各ＩＣタグからそれぞれ伝達される前記位置情報に、前記書籍の最初のページであることを示す位置情報が含まれる場合には、該伝達された位置情報のうち、最もページ数が大きいことを示す位置情報を含む前記特定質問信号を送信し、前記各ＩＣタグからそれぞれ伝達される前記位置情報に、前記書籍の最後のページであることを示す位置情報が含まれる場合には、該伝達された位置情報のうち、最もページ数が小さいことを示す位置情報を含む前記特定質問信号を送信する、ことを特徴とする。
【００１１】
このようにすることにより、質問器は、本の各ページに付されるＩＣタグの中から、所望のＩＣタグに対してのみ特定質問信号を送信することができる。
【００１２】
また、上記質問器において、複数のキーにおいてキー入力を受け付けるキー入力受付手段と、前記各キーのそれぞれにキーコードを割り当てるキーコード割当手段と、前記ＩＣタグから伝達される情報に前記キーコードを含むキー操作情報が含まれる場合に、前記キー入力受付手段において、該キー操作情報に含まれるキーコードに応じたキー入力を行うキー入力制御手段と、をさらに含むこととしてもよい。このようにすれば、ＩＣタグから送信されたキー操作情報に応じて質問器にキー入力を行わせることができる。
【００１３】
また、本発明に係るＩＣタグ読取方法は、複数のＩＣタグと、少なくとも１つの質問器と、を含む情報処理システムにおいて、前記質問器において、前記各ＩＣタグから情報を読み出すための質問信号を、前記各ＩＣタグに対し送信する質問信号送信ステップと、前記各ＩＣタグからそれぞれ伝達される情報に含まれる位置情報に応じて、該位置情報のうち少なくとも１つの位置情報を含む特定質問信号を送信する特定質問信号送信ステップと、を含み、前記各ＩＣタグにおいて、前記質問器から送信される質問信号に応じて、当該ＩＣタグの付される位置に関する位置情報を前記質問器に対して伝達する位置情報伝達ステップと、前記特定質問信号に含まれる位置情報と、前記記憶される位置情報と、が一致するか否かを判断する判断ステップと、複数の情報を、複数の記憶領域にそれぞれ記憶する情報記憶ステップと、前記質問器から送信される特定質問信号に応じて、前記複数の記憶領域のうち、少なくとも１つを選択する領域選択ステップと、前記判断ステップにおける判断結果が一致することを示す場合に、前記選択される記憶領域に含まれる情報を前記質問器に対して伝達する情報伝達ステップと、を含む、ことを特徴とする。
【発明を実施するための最良の形態】
【００１４】
本発明の実施の形態について、図面を参照しながら説明する。
【００１５】
本実施の形態に係る情報処理システム１は、図１に示すように、移動体通信システムにおける携帯電話１０及び基地局２０と、ＲＦＩＤタグ３０と、を含んで構成される。なお、ＲＦＩＤタグ３０は書籍４０に付されている。
【００１６】
携帯電話１０は、同図に示すように、キーパッド１０１、ＬＣＤパネル表示器１０２、マイク１０３、スピーカ１０４、プロトコル制御部１０５及び１１１、ベースバンド部１０６及び１１０、ＲＦ部１０７及び１０９、空中線共有器１０８、制御部１１２を含んで構成される。キーパッド１０１、ＬＣＤパネル表示器１０２、マイク１０３、スピーカ１０４はマンマシンインターフェイスとして携帯電話１０に備えられる。キーパッド１０１は少なくともプッシュ式電話におけるキー、すなわち０乃至９の各数字と＃及び＊、を含む複数のキーから構成される。そして携帯電話１０のユーザがキーパッド１０１の各キーを押下することによるキー入力を受け付け、各キーに対応した信号が制御部１１２に入力される。ＬＣＤパネル表示器１０２は表示装置であり、制御部１１２からの指示に従って携帯電話１０における各種処理の結果を表示する。そしてユーザは該表示を確認することにより、携帯電話１０の状態を知ることができるようになっている。マイク１０３は、送話器としても機能するものであり、音声による入力を受け付ける。そして制御部１１２は該音声の入力を受け、予め定められた処理を行う。スピーカ１０４は受話器としても機能するものであり、制御部１１２からの指示に従い、音声を出力する。
【００１７】
次にプロトコル制御部１０５、ベースバンド部１０６、ＲＦ部１０７は携帯電話１０から信号を送信する際に使用される送信ブロックとして機能する。具体的には、制御部１１２で組み立てられた信号（例えば後述する質問メッセージ２０１−１）を、プロトコル制御部１０５において、定められたプロトコルに基づくデジタル信号に変換する。なお該プロトコルは、例えば通信相手がＲＦＩＤタグ３０である場合にはＲＦＩＤシステムにおいて使用されるプロトコルであり、基地局２０である場合には移動体通信システム及び信号の送信されるネットワークにおいて使用されるプロトコルである。
【００１８】
そしてベースバンド部１０６は、プロトコル変換されたデジタル信号を、搬送波により変調してベースバンド信号に変換する。ここでは、さらに例えば時分割多重におけるタイムスロットや、周波数分割多重における周波数、符号分割多重におけるＰＮ符号の決定等を行い、多重化処理を行う。そしてＲＦ部１０７ではベースバンド信号を周波数変換することにより無線周波数帯域の信号を取得し、空中線共有器１０８に出力する。空中線共有器１０８では、入力された信号を、アンテナから出力する。なお、ここではＲＦＩＤシステムの構成要素としての携帯電話１０と、移動体通信システムの構成要素としての携帯電話１０と、が同じ送信ブロックを使用することとして説明するが、異なる送信ブロックを備えていることとしてもよい。また、ＲＦＩＤシステムと移動体通信システムでそれぞれ使用する無線の周波数帯が異なる場合には、アンテナ及び空中線共有器１０８についてもそれぞれのために用意されたものを使用することとしてもよい。
【００１９】
ＲＦ部１０９、ベースバンド部１１０、プロトコル制御部１１１は携帯電話１０に対して送信された信号を受信する際に使用される受信ブロックとして機能する。具体的には、アンテナに到来した信号は、空中線共有器１０８によりＲＦ部１０９に入力される。このとき、例えば時分割多重により信号が多重化されている場合には、空中線共有器１０８は送信タイムスロットについてはアンテナとＲＦ部１０７を接続することにより信号の送信を可能とし、受信タイムスロットについてはアンテナとＲＦ部１０９を接続することにより信号の受信を可能とする。
【００２０】
そしてＲＦ部１０９では、空中線共有器１０８により入力された信号の周波数変換を行い、ベースバンド帯域のベースバンド信号を取得する。そして、ベースバンド部１１０では、搬送波を乗算することにより、デジタル信号を取得する。そしてプロトコル制御部１１１では、プロトコル逆変換を行って得られる信号（例えば後述する回答メッセージ２０２−１）を制御部１１２に対して出力する。なお、ここではＲＦＩＤシステムの構成要素としての携帯電話１０と、移動体通信システムの構成要素としての携帯電話１０と、が同じ受信ブロックを使用することとして説明するが、異なる受信ブロックを備えていることとしてもよい。
【００２１】
以上のようにして、制御部１１２は、基地局２０及びＲＦＩＤタグ３０と信号の送受信を行う。また、携帯電話１０は、ＲＦＩＤシステムにおける質問器として、動作することができる。すなわち、ＲＦＩＤタグ３０に対して質問メッセージ２０１を送信し、ＲＦＩＤタグ３０から回答メッセージ２０２を受信することができる。
【００２２】
次に、ＲＦＩＤタグ３０は、図２に示すように、回答メッセージ記憶部３０１、受信信号処理部３０２、質問メッセージ解析部３０３、回答メッセージ作成部３０４、送信信号処理部３０５を含んで構成される。なお、ここでは無線により質問器と信号の送受信を行うＲＦＩＤタグ３０を使用して説明するが、質問器からの質問メッセージ２０１に応答して回答メッセージ２０２を質問器に対して伝達することができるＩＣタグであれば、どのようなものを使用してもよい。具体的には、電磁誘導方式又は電波方式いずれの方式によるＲＦＩＤタグであってもよいし、パッシブ又はアクティブのいずれであってもよい。また、接触型ＩＣタグのように、無線（ＲＦ）を使用しないものでもよい。さらに一般にタグ（荷札）と名付けられるためタグと称しているが、ここでいうところのタグには、荷札のようにぶら下げられる以外にも、貼付されるものや、埋め込まれるものも含まれる。
【００２３】
ＲＦＩＤタグ３０は、携帯電話１０から送信される質問メッセージ２０１を受信し、該質問メッセージ２０１に応じた回答メッセージ２０２を返信することにより伝達する。なお、本実施の形態において携帯電話１０は、ＲＦＩＤタグ３０との関係において質問器として使用される。
【００２４】
ＲＦＩＤタグ３０の処理について、図７も参照しながら説明する。ＲＦＩＤタグ３０は、携帯電話１０から送信される質問メッセージ２０１を受信信号処理部３０２において受信し、質問メッセージ解析部３０３に対して出力する（Ｓ１００１）。質問メッセージ解析部３０３は質問メッセージ２０１に含まれる識別情報（例えば後述の機種コード情報２０２１）に応じて回答メッセージ記憶部３０１に記憶される複数の回答メッセージ２０２の中から少なくとも１つのデータ（回答データ）を選択する（Ｓ１００２）。より具体的には、回答メッセージ記憶部３０１は複数の領域に分割され、識別情報ごとの領域に、該識別情報に対応する回答メッセージ２０２が記憶されていることとしてよい。そして、識別情報に応じて、複数の領域のうち少なくとも１つの領域を選択することにより、回答データを選択することとしてもよい。
【００２５】
そして、選択された回答データを、回答メッセージ作成部３０４が読み出し、送信信号処理部３０５に出力する。送信信号処理部３０５は、該回答データを回答メッセージ２０２として、無線信号としてアンテナから送信する（Ｓ１００３）。
【００２６】
このようにすることにより、質問器としての携帯電話１０から送信される質問メッセージ２０１に応じて、ＲＦＩＤタグ３０は自身に記憶される回答メッセージ２０２のうち少なくとも１つを送信することができる。
【００２７】
本実施の形態において送信される質問メッセージ２０１及び回答メッセージ２０２について、以下に詳細に説明する。
【００２８】
第１の実施形態では、回答メッセージ２０２−１は、図３に示すようなフォーマットの信号として送受信される。同図に示すように、回答メッセージ２０２−１は、機種コード領域２０２１、ソフトバージョン領域２０２２、セキュリティ領域２０２３、キー操作メッセージ２０２４及びＥＯＦ２０２５を含んで構成される。ＥＯＦはEnd Of Fileの略であり、メッセージの終了を示す信号である。
【００２９】
機種コード領域２０２１に含められる情報は、携帯電話の機種を示す情報である。すなわち、携帯電話としては様々なメーカから様々な種類のもの（機種）が販売されており、そのメーカ及び種類を特定するための機種コード情報である。ソフトバージョン領域２０２２に含められる情報は、携帯電話に搭載されるソフトウェア（ファームウェア、アプリケーションなど）のバージョンを示すソフトバージョン情報である。セキュリティ領域２０２３には、該セキュリティ領域２０２３を含む回答メッセージ２０２−１を利用できる者に関する情報が含められる。より具体的には、一般の携帯電話ユーザ、電気通信事業者などの保守ユーザ、製造メーカなどのデバッグユーザ、のいずれが利用できるのかを示す情報が含まれる。キー操作メッセージ２０２４については後述する。
【００３０】
そして、携帯電話１０は、回答メッセージ２０２−１を受信し、機種コード領域２０２１に含められる情報が、自携帯電話１０の機種情報と合致しているか否かを判断する。一致しなければ、該回答メッセージ２０２−１を破棄することとしてもよい。また、ソフトバージョン領域２０２２に含められる情報が、自携帯電話１０のソフトバージョン情報と合致しているか否かを判断する。そして一致しなければ、該回答メッセージ２０２−１を破棄することとしてもよいし、携帯電話１０のユーザに対しソフトバージョンが異なることを通知し、バージョンアップを促すこととしてもよい。また、セキュリティ領域２０２３に含められる情報が、自携帯電話１０において設定されているセキュリティ情報２０２と合致しているか否かを判断する。そして合致していなければ、該回答メッセージ２０２−１を破棄することとしてもよい。また、セキュリティ領域２０２３に含まれる情報に応じて、パスワード入力を要求することとしてもよい。
【００３１】
次に、キー操作メッセージ２０２４について説明する。該説明のために、まず携帯電話１０のキー配置について、図４を参照しながら説明する。図４に示すように、携帯電話１０のキーパッド１０１には、上述の０乃至９の各数字と＃及び＊の他にも、いくつかのキーが備えられる。そして、それぞれのキーについて、同図に示すような０ｘで始まる４桁のコードが割り当てられている。
【００３２】
回答メッセージ記憶部３０１は、例えば機種コード情報ごとにキー操作情報を記憶する。キー操作情報は、携帯電話１０のユーザか所定のキー入力を行うことにより実施する該携帯電話１０又は他の装置の操作ごとの、該操作を実施するための順序付けられたキー入力であって、具体的には、上記コードをキー入力の順序と対応付けた情報である。
【００３３】
回答メッセージ作成部３０４は、図５又は図６に示すように、回答メッセージ２０２−１のキー操作メッセージ２０２４について、上記キー操作情報を設定する。図５又は図６は回答メッセージ２０２−１の一例であり、ここでのヘッダー部分とは、機種コード領域２０２１、ソフトバージョン領域２０２２、セキュリティ領域２０２３及びキー操作メッセージ２０２４の各ヘッダー部分を含む情報である。図５では、キー操作メッセージ２０２４により示されるキー入力の内容として、キー操作情報である「０ｘ０２」「０ｘ０３」「０ｘ０３」（途中略）「０ｘ０７」がこの順で設定されている。該キー操作メッセージ２０２４を受け取った携帯電話１０は、該キー操作情報の通りに、該キー操作情報に応じたキー入力を実施する。具体的には、制御部１１２がキーパッド１０１をエミュレートすることによりキー操作情報によって示されるキー入力を実行する。
【００３４】
図６では、キー操作メッセージ２０２４により示されるキー入力の内容として、キー操作情報である「０ｘ０２」「０ｘ０３」「０ｘ０３」（途中略）「キー入力待ちコマンドコード」がこの順で設定されている。該キー操作メッセージ２０２４を受け取った携帯電話１０は、図５の場合と同様に該キー操作情報の通りに、キー入力を実施するが、「キー入力待ちコマンドコード」においては、キー入力をエミュレートするのではなく、ユーザのキー入力を待つ処理を行う。
【００３５】
以上のようにして、回答メッセージ２０２−１に含まれるキー操作指示情報に基づいて、携帯電話１０のキー操作が容易にできるようになる。すなわち、複雑なキー操作などでもＲＦＩＤタグ３０から情報を読み出すことにより、携帯電話１０にキー操作を行わせることができる。そしてこのようにしてＲＦＩＤタグ３０から回答メッセージ２０２−１を取得した携帯電話１０は、必要に応じ該回答メッセージ２０２−１を、又は回答メッセージ２０２−１に応じてなされる上記キー操作により作成される情報を、基地局２０を介して図示しない通信ネットワーク上に存在するサーバに送信することにより、該サーバから回答メッセージ２０２−１に応じた情報を取得することができる。
【００３６】
図８に示すように、第２の実施形態では、複数のＲＦＩＤタグ３０が、書籍４０の各ページに、付されている。具体的な使用例としては、例えば書籍４０が携帯電話１０のマニュアルであり、各ページには携帯電話１０の操作方法が記載されている場合において、各ページのＲＦＩＤタグ３０には該操作方法により示されるキー操作情報が記憶されている場合が挙げられる。
【００３７】
本実施形態では、回答メッセージ２０２−２は、図９に示すようなフォーマットの信号として送受信される。同図に示すように、回答メッセージ２０２−２は、機種コード領域２０２１、ソフトバージョン領域２０２２、セキュリティ領域２０２３、キー操作メッセージ２０２４及びＥＯＦ２０２５に加えて、ページ番号２０２６を含んで構成される。
【００３８】
機種コード領域２０２１、ソフトバージョン領域２０２２、セキュリティ領域２０２３、キー操作メッセージ２０２４は第１の実施形態と同様である。ページ番号２０２６は、書籍４０において、該ＲＦＩＤタグ３０の付されるページのページ番号（位置）を示す位置情報である。該情報は回答メッセージ記憶部３０１に記憶され、回答メッセージ作成部３０４において、回答メッセージ２０２−２に含められる。
【００３９】
携帯電話１０が書籍４０に対して質問メッセージ２０１−１を送信すると、複数のＲＦＩＤタグ３０は一斉に回答メッセージ２０２−２を送信する。ＲＦＩＤタグ３０が書籍の各ページに付されているため、各ＲＦＩＤタグ３０は、通常ＲＦＩＤシステムにおいてＲＦＩＤタグ３０が設置される場合の相互間の距離に比して接近している。このため、複数のＲＦＩＤタグ３０が、質問メッセージ２０１−１を受信してしまうからである。このようにして、一斉に回答メッセージ２０２−２を受信することとなる携帯電話１０の処理について、図１０を参照しながら以下に説明する。
【００４０】
まず、携帯電話１０は、全てのＲＦＩＤタグ３０に対して質問メッセージ２０１−１を送信する。このとき、全てとはいいつつも、実際には見開きの片方に含まれるページに付されるＲＦＩＤタグ３０のみが、該質問メッセージ２０１−１を受信することとなる（例えばｎページとｎ＋１ページとが見開きで開いていた場合、ｎページ側に携帯電話１０を寄せて質問メッセージ２０１−１を送信したら、１ページからｎページに付されるＲＦＩＤタグ３０が該質問メッセージ２０１−１を受信する）（Ｓ１１０１）。すると携帯電話１０は、それぞれにページ番号を含む複数の回答メッセージ２０２−２を受信し、それぞれに含まれるページ番号を取得する（Ｓ１１０２）。そして、該ページ番号に最初のページ（通常は１ページ）が含まれているか否かを判断する（Ｓ１１０３）。この判断のために、ページ番号２０２６には、ページ番号のみでなく、最初のページであることを示す情報が含まれていてもよい。そして、含まれていると判断されれば、受信された回答メッセージ２０２−２に含まれるページ番号のうちで、最大のもの（Ｎとする）を検出し（Ｓ１１０４）、該ページ番号Ｎに対してのみ、質問メッセージ２０１−２（特定質問信号）を送信する（Ｓ１１０５）。すなわち、質問メッセージ２０１−２には、位置情報としてページ番号Ｎが含められて送信される。すると、ＲＦＩＤタグ３０は自身に記憶しているページ番号と質問メッセージ２０１−２に含まれるページ番号Ｎとが等しいか否かを判断し、等しい場合にのみ再度回答メッセージ２０２−２又は回答メッセージ２０２−１を送信する。このようにすることにより、携帯電話１０は複数のＲＦＩＤタグ３０のうち、ページ番号が最大のページに付されるＲＦＩＤタグ３０からの回答メッセージ２０２−１又は回答メッセージ２０２−２のみを受信することができ、該受信された回答メッセージをデコードすることにより、該回答メッセージの内容、例えばキー操作情報を取得することができる（Ｓ１１０６）。
【００４１】
なお、質問メッセージ２０１−１を受信した段階でＲＦＩＤタグ３０が返信する回答メッセージ２０２−２には、具体的なキー操作情報が含まれていなくてもよい。後に再度送ることになるからである。このようにすれば、質問メッセージ２０１−１を受信した段階でＲＦＩＤタグ３０が返信する回答メッセージ２０２−２のメッセージ長を短くすることができる。
【００４２】
一方、Ｓ１１０３の処理において、最初のページ（通常は１ページ）が含まれていないと判断される場合には、最後のページが含まれているか否かを判断する（Ｓ１１０７）。この判断のために、ページ番号２０２６には、ページ番号のみでなく、最後のページであることを示す情報が含まれていてもよい。そして含まれていると判断されれば、受信された回答メッセージ２０２−２に含まれるページ番号のうちで、最小のもの（Ｎ'とする）を検出し（Ｓ１１０８）、該ページ番号Ｎ'に対してのみ、質問メッセージ２０１−２（特定質問メッセージ）を送信する（Ｓ１１０９）。すなわち、質問メッセージ２０１−２には、ページ番号Ｎ'が含められて送信される。すると、ＲＦＩＤタグ３０は自身に記憶しているページ番号と質問メッセージ２０１−２に含まれるページ番号Ｎとが等しいか否かを判断し、等しい場合にのみ再度回答メッセージ２０２−２又は回答メッセージ２０２−１を送信する。このようにすることにより、携帯電話１０は複数のＲＦＩＤタグ３０のうち、ページ番号が最小のページに付されるＲＦＩＤタグ３０からの回答メッセージ２０２−１又は回答メッセージ２０２−２のみを受信することができ、該受信された回答メッセージをデコードすることにより、該回答メッセージの内容、例えばキー操作情報を取得することができる（Ｓ１１１０）。
【００４３】
なお、Ｓ１１０７の処理において、最後のページが含まれていないと判断された場合には、携帯電話１０は、何らかの原因でＲＦＩＤタグ３０からの回答メッセージ２０２−２を正確に取得することができなかったと判断し、再度Ｓ１１０１の処理を行う。
【００４４】
以上のようにして、書籍４０の各ページに付されたＲＦＩＤタグ３０から、所望のＲＦＩＤタグ３０に記憶される情報のみを取得することができる。より具体的には、書籍４０の各ページのうち、開いているページに付されたＲＦＩＤタグ３０に記憶される情報のみを取得することができる。
【００４５】
上述のように携帯電話１０が書籍４０に対して送信した質問メッセージ２０１に対して、複数のＲＦＩＤタグ３０が一斉に回答メッセージ２０２を送信する場合、各ＲＦＩＤタグ３０の送信タイミングを異ならせることが望ましい。すなわち、各ＲＦＩＤタグ３０が同一の周波数の無線を使用する場合には、各ＲＦＩＤタグ３０から送信される電波が互いに干渉しないよう、各ＲＦＩＤタグ３０の送信タイミングを異ならせることが望ましい。このための具体的な処理について、図１１を参照しながら説明する。
【００４６】
図１１は、ＲＦＩＤタグ３０が質問器たる携帯電話１０から受信される質問メッセージ２０１に対して回答メッセージ２０２を返信する際の処理のフロー図である。同図に示すように、まずＲＦＩＤタグ３０は、質問器からの質問メッセージ２０１を受信する（Ｓ１２０１）。そして、該質問メッセージ２０１にページ番号２０２６フィールドがあるか否かを判断する（Ｓ１２０２：すなわち、該質問メッセージ２０１が特定質問メッセージであるか否かを判断する）。ページ番号２０２６フィールドがないと判断される場合には、後述するＳ１２０４の処理に移行する。ページ番号２０２６フィールドがあると判断される場合には、自身の回答メッセージ記憶部３０１に記憶されるページ番号と一致するか否かを判断する（Ｓ１２０３）。一致しなければ、その後の処理は行わない。一致すれば、乱数を発生させ、乱数に従って回答メッセージ２０２の送信タイミングを遅延させる（Ｓ１２０４）。すなわち、乱数に従って回答メッセージ２０２の送信タイミングを決定する。なお、この乱数については、複数のページ番号に対応するＲＦＩＤタグ３０が、それぞれ異なる乱数を発生するよう、十分に大きな桁数を有することが望ましい。そして、該決定された送信タイミングで、回答メッセージ２０２を送信する。このようにすることにより、各ＲＦＩＤタグ３０から送信される電波が互いに干渉しないようにすることができる。
【図面の簡単な説明】
【００４７】
【図１】本実施の形態に係る情報処理システムの構成図である。
【図２】本実施の形態に係るＲＦＩＤタグの機能ブロック図である。
【図３】本実施の形態に係るメッセージフォーマットである。
【図４】本実施の形態に係るキーコードの説明図である。
【図５】本実施の形態に係るメッセージフォーマットである。
【図６】本実施の形態に係るメッセージフォーマットである。
【図７】本実施の形態に係る処理フロー図である。
【図８】本実施の形態に係るＲＦＩＤタグの貼付状態を示す説明図である。
【図９】本実施の形態に係るメッセージフォーマットである。
【図１０】本実施の形態に係る処理フロー図である。
【図１１】本実施の形態に係る処理フロー図である。
【符号の説明】
【００４８】
１  情報処理システム、１０  携帯電話、２０  基地局、３０  ＲＦＩＤタグ、４０  書籍、１０１  キーパッド、１０２  ＬＣＤパネル表示器、１０３  マイク、１０４  スピーカ、１０５，１１１  プロトコル制御部、１０６，１１０  ベースバンド部、１０７，１０９  ＲＦ部、１０８  空中線共有器、１１２  制御部、２０１  質問メッセージ、２０２  回答メッセージ、３０１  回答メッセージ記憶部、３０２  受信信号処理部、３０３  質問メッセージ解析部、３０４  回答メッセージ作成部、３０５  送信信号処理部、２０２１  機種コード領域、２０２２  ソフトバージョン領域、２０２３  セキュリティ領域、２０２４  キー操作メッセージ、２０２５  ＥＯＦ、２０２６  ページ番号
【図１】
2006126963.tif 000003
【図２】
2006126963.tif 000004
【図３】
2006126963.tif 000005
【図４】
2006126963.tif 000006
【図５】
2006126963.tif 000007
【図６】
2006126963.tif 000008
【図７】
2006126963.tif 000009
【図８】
2006126963.tif 000010
【図９】
2006126963.tif 000011
【図１０】
2006126963.tif 000012
【図１１】
2006126963.tif 000013